(57)【要約】【課題】  電動リールのコードをハンドルに差し込んで配設しているときに、コードがリール操作の邪魔になることを防止できる釣竿用ハンドルを提供すること。【解決手段】  釣竿用ハンドル１４は、ハンドル１４の上面側にリール取付部１４ｂを設け、前記ハンドル１４の前記リール取付部１４ｂの取付面と異なる面に釣用電動リール３０のコード６０を前記ハンドル１４内に挿通するための挿通孔７４ａを設けた。【選択図】    図２
2010029128.tif 000002
【特許請求の範囲】
【請求項１】
ハンドルの上面側に取付面を有するリール取付部を設け、前記ハンドルの前記リール取付部の取付面と異なる面に釣用電動リールのコードを前記ハンドル内に挿通するための挿通孔を設けたことを特徴とする釣竿用ハンドル。
【請求項２】
前記挿通孔を前記ハンドルの前記リール取付部の取付面と反対側に設けたことを特徴とする請求項１に記載の釣竿用ハンドル。
【請求項３】
前記挿通孔を前記ハンドルの前記リール取付部の取付面に対して側面に設けたことを特徴とする請求項１に記載の釣竿用ハンドル。
【請求項４】
前記ハンドルは、前記電動リールを着脱可能な位置よりも後方側に、前記電動リールに前記コードを通して給電するバッテリを着脱自在に保持するバッテリ保持部を有することを特徴とする請求項１ないし請求項３のいずれか１に記載の釣竿用ハンドル。
【請求項５】
請求項１から請求項４のいずれか１に記載の釣竿用ハンドルの先端側に竿部を設けた釣竿。
【発明の詳細な説明】
【技術分野】
【０００１】
この発明は、電動リールとともに用いられることが好適な釣竿用ハンドル及び釣竿に関する。
【背景技術】
【０００２】
従来から魚釣用釣竿に電動リールを取り付けて魚釣りを行う場合、バッテリから電動リールに給電するためのコードを接続している。しかし、電動リールを取り付けて魚釣りを行う際には、給電用のコードを引きずってしまい、そのコードが邪魔になることがある。
【０００３】
例えば特許文献１には、釣竿に内蔵したバッテリに電動リールのコードを竿内に差し込んで繋ぐ構造が開示されている。  
また、特許文献２には、コードが魚釣りの邪魔にならないように一度釣竿内に差し込んで再び釣竿の基部（後端）近傍から外側に延出させてバッテリに繋ぐ釣具（釣竿）が開示されている。
【特許文献１】実開平２−９０７４号公報
【特許文献２】実開昭４８−６２９２号公報
【発明の開示】
【発明が解決しようとする課題】
【０００４】
ハンドルの上面側のリール取付部の後側においては、サミング等の電動リールの操作を行うためコードが配設されているとリール操作の邪魔になる。また、ハンドルの上面側のリール取付部の前側においては、電動リールの釣糸を繰り出したり巻き取ったりするときに、釣糸が通過し、釣糸が緩むとコードに触れたり引っ掛かったりするためコードが配設されているのと同様にリール操作の邪魔になる。  
すなわち、ハンドルの上面側のリール取付部の前側と後側などリール取付部と同じ面に電動リールのコードを差し込んでコードが配設されるとサミング等のリール操作がやり難かったり釣糸がコードに触れたり絡んだりするなど、リール操作の邪魔になる。
【０００５】
この発明は、このような課題を解決するためになされたものであり、電動リールのコードをハンドルに差し込んで配設しているときに、コードがリール操作の邪魔になることを防止できる釣竿用ハンドル及び釣竿を提供することを目的とする。
【課題を解決するための手段】
【０００６】
上記課題を解決するために、この発明に係る釣竿用ハンドルは、ハンドルの上面側に取付面を有するリール取付部を設け、前記ハンドルの前記リール取付部の取付面と異なる面に釣用電動リールのコードを前記ハンドル内に挿通するための挿通孔を設けたことを特徴とする。  
また、前記挿通孔を前記ハンドルの前記リール取付部の取付面と反対側に設けたことが好適である。  
また、前記挿通孔を前記ハンドルの前記リール取付部の取付面に対して側面に設けたことが好適である。  
また、前記ハンドルは、前記電動リールを着脱可能な位置よりも後方側に、前記電動リールに前記コードを通して給電するバッテリを着脱自在に保持するバッテリ保持部を有することが好適である。
【発明の効果】
【０００７】
ハンドルの上面側にリール取付部を設け、前記ハンドルの前記リール取付部の取付面と異なる面に釣用電動リールのコードを前記ハンドル内に挿通するための挿通孔を設けたことにより、ハンドルに対してコードをリール取付部と異なる面で挿通させることができ、電動リールの操作の際に電動リールから延びるコードが邪魔になることを極力防止することができる。  
また、前記挿通孔を前記ハンドルのリール取付面と反対側に設けたことにより、挿通孔を下側に向かせることができるため、電動リールの操作の際にコードが邪魔になることを極力防止することができるとともに、ハンドル内に雨や飛沫等の水が浸入することを極力防止できる。  
また、前記挿通孔を前記ハンドルの前記リール取付面に対して側面に設けたことにより、挿通孔を上側以外の方向に向かせることができるため、電動リールの操作の際にコードが邪魔になることを極力防止することができるとともに、ハンドル内に雨や飛沫等の水が浸入することを極力防止できる。  
また、前記ハンドルが、前記電動リールを着脱可能な位置よりも後方側に、前記電動リールに前記コードを通して給電するバッテリを着脱自在に保持するバッテリ保持部を有することにより、バッテリの存在によってもリール取付部の握持が規制されずに電動リールを支えながら釣竿をしっかりと持つことができる。
【発明を実施するための最良の形態】
【０００８】
以下、図面を参照しながらこの発明を実施するための最良の形態（以下、実施の形態という）について説明する。
【０００９】
第１の実施の形態について図１ないし図５を用いて説明する。  
図１に示すように、この実施の形態の釣竿１０は、竿部１２と、この竿部１２の後端に配設され釣り人が把持するハンドル１４とを備えている。図２及び図３に示す竿部１２の後端の嵌合突起１３ａは、ハンドル１４の後述する芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１０】
竿部１２は、例えば繊維強化樹脂材製の竿桿２２と、竿桿２２に配設された釣糸用ガイド２４とを備えている。なお、本実施形態の釣竿１０の竿部１２は、中通し竿として形成されていることも好適である。また、竿桿２２は、中空構造に限らず、中実構造であっても良い。
【００１１】
図２及び図３に示す魚釣用電動リール３０は、リール本体３２の両側に配置した１対の側板３４間に、図示しないスプール軸を介してスプールが回転可能に支持されている。この側板３４で支えられたハンドル軸（図示しない）を介して、このリール３０のハンドル３４ａ（図８参照）の回転をリール本体３２内に配置された駆動機構に伝達することができる。
【００１２】
通常と同様に、このスプールは、一方の側板３４に設けたハンドル３４ａを介する手動操作で形成される駆動力により、リール本体３２内に配置された公知の駆動機構を介して回転され、あるいは、リール本体３２のスプール前方の側板３４間にモータケースを介して収容された公知のスプール駆動モータにバッテリ４０から給電する電動操作で形成される駆動力により、動力伝達機構を介して回転され、このスプール上に釣糸が巻回される。
【００１３】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００１４】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部を配置し、更に、棚位置を設定する棚取りボタン、糸長計測値の値をゼロにリセットするリセットボタン、および、押し込んでいるときにのみスプール駆動モータを駆動させ、解放したときに停止して微妙な巻上操作を可能とする寸動ボタン等の種々のボタンあるいはスイッチ類を配置してある。
【００１５】
通常と同様に、リール本体３２には、クラッチ機構（図示しない）も設けられており、このクラッチ機構を通じて、スプール軸に駆動連結するスプール駆動モータあるいはハンドルで形成される駆動力を、スプールに伝達し或いはスプールから遮断することができる。クラッチ機構がスプール軸をスプール駆動モータおよびハンドルから分離した状態（スプールフリー状態）で、ハンドルを回転させると、図示しない復帰機構を介して、スプール軸が元の状態（巻取状態）に復帰する。これにより、スプール軸と一体化されているスプールを、スプール駆動モータあるいはハンドルが形成する駆動力で回転することができる。符号３６は、スプールフリー状態におけるスプールの回転に適度な制動力を掛けて過回転を防止する調節ネジを示す。
【００１６】
更に、リール本体３２の下部前方の、ハンドルから離隔した側の側板３４の下部で、リール本体３２を保持した手と干渉しない位置に、給電部３８を下方に向けて配置してある（図２及び図８参照）。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００１７】
図２に示すように、このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００１８】
釣竿１０の釣竿用ハンドル１４は、前グリップ１４ａと、魚釣用電動リール３０の取付脚部３０ａが着脱可能に取り付けられるリール取付部１４ｂと、後グリップ１４ｃとを備えている。これら前グリップ１４ａ、リール取付部１４ｂ及び後グリップ１４ｃは、例えば筒状に形成され、これらの内部に芯部材１４ｄが配設されている。上述したように、竿部１２の竿桿２２の基端は、芯部材１４ｄの先端部に配設されている。芯部材１４ｄは、前グリップ１４ａ及びリール取付部１４ｂの内部の全体に配設されているのに対して、後グリップ１４ｃはその先端側に配設されている。
【００１９】
釣竿１０の釣竿用ハンドル１４のリール取付部１４ｂは、魚釣用電動リール３０の取付脚部３０ａを介して魚釣用電動リール３０を取り付けるためのいわゆる筒状のリールシート５２からなっている。リール取付部１４ｂは取付脚部３０ａが載置される取付脚部載置面（取付面）５２ａの後方に例えば一体的に形成され、取付脚部３０ａの後端部を受け入れる固定フード５４ａを配置している。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２０】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａおよび移動フード５４ｂ間で挟持されつつ取付脚載置面５２ａ上に押圧される。これにより、魚釣用電動リール３０は、その取付脚部３０ａがリール取付部１４ｂの上面の取付脚載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２１】
本実施形態では、このように釣竿１０に取り付けられる魚釣用電動リール３０にコード６０を介して接続されるバッテリ４０は、例えばリチウムイオン電池等により携帯可能な小型かつ軽量に形成されている。このバッテリ４０は充電により再使用可能である。  
このバッテリ４０は、外部を樹脂製の外装部材すなわちボディ４２で覆った密閉構造を有する。図３中、左側に示す先端側には、魚釣用電動リール３０の給電部３８に対してコード６０を介して電気的に接続される接続部４４が突出した状態に配置されている。ボディ４２は、略柱状に形成され、その接続部４４に近接する側は肩部４６として形成されている。肩部４６は、略円錐台状を有し、接続部４４側に向けて先細り状になる傾斜面を有している。
【００２２】
コード６０は、その一端にリール用コネクタ６２を備え、その他端にバッテリ用コネクタ６４を備えている。なお、ここでは、リール用コネクタ６２は図２及び図３に示すように、コード６０およびリール用コネクタ６２の軸方向が給電部３８に対して真っ直ぐのストレートタイプのものが用いられる場合について説明するが、コード６０とリール用コネクタ６２との軸方向が異なる、例えばＬ型タイプなどが用いられることも好ましい。ここでは、リール用コネクタ６２がバッテリ用コネクタ６４よりも小さく形成されている場合について説明する。
【００２３】
図２及び図３に示すように、この実施の形態に係る後グリップ１４ｃは、例えば金属や合成樹脂（繊維強化樹脂を含む）などの硬質材料で筒状に形成され、内部にコード６０を挿通させる中空状の挿通部Ｓを有するグリップ本体７２を備えている。グリップ本体７２の先端はリール取付部１４ｂの後端に取り付けられ、芯部材１４ｄが差し込まれて固定されている。
【００２４】
グリップ本体７２の先端側には、リール取付部１４ｂの取付脚部載置面５２ａが形成された側（ハンドル１４の上面側）とは反対側（ハンドル１４の下面側）であって、取付脚部載置面５２ａよりも後方に、グリップ本体７２の内部に形成されコード６０の挿通部Ｓをグリップ本体７２の外部と連通させるための貫通孔７３が形成されている。貫通孔７３は、ハンドル１４の長手方向の中心軸（ハンドル１４の軸線）Ｃと略同方向（平行又は略平行）に長手方向を有する長孔に形成されている。すなわち、貫通孔７３の長孔は、ハンドル１４の中心軸Ｃに略平行な貫通孔７３の前後方向の長さが貫通孔７３の前後方向に交差する左右方向（ハンドル１４の中心軸Ｃに直交する方向）に対して長い。貫通孔７３の長孔は、この実施形態では、その両端（前端および後端）に互いに向かい合う同径の半円を有し、それら半円の間に長方形を有する形状（例えば陸上競技のトラックのような形状）に形成されている。このため、貫通孔７３の長孔は、前端および後端の半円の間で同幅の開口を有する。貫通孔７３の大きさ（幅）は、コード６０のリール用コネクタ６２及びバッテリ用コネクタ６４のいずれか一方または両方を通すことが可能な大きさに形成されている。また、後述する突部７４の挿通孔７４ａの大きさは、コード６０のリール用コネクタ６２及びバッテリ用コネクタ６４のいずれか一方または両方を通すことが可能な大きさに形成されている。
【００２５】
グリップ本体７２には、グリップ本体７２に形成された貫通孔７３の縁部から外方に向かって延出された突部７４が一体的に形成されている。突部７４は、先端に例えば円形状の挿通孔７４ａを有する。突部７４の挿通孔７４ａは、突部７４の傾斜面７４ｂを介して貫通孔７３に連通されている。このため、挿通孔７４ａは、グリップ本体７２の内部に形成されたコード６０の挿通部Ｓに連通されている。図２および図３に示すように、突部７４の挿通孔７４ａも貫通孔７３と同様に、リール取付部１４ｂの取付脚部載置面５２ａが形成された側（上面側）とは反対側（下面側）に形成されている。
【００２６】
挿通孔７４ａの縁部のうち、ハンドル１４に対して前方側よりも後方側の方がハンドル１４の中心軸Ｃに対して離れた位置（外側）にある。そして、挿通孔７４ａの縁部のうち、ハンドル１４の後端側の縁部は後グリップ１４ｃのグリップ本体７２の最外周よりも外側にあるのに対し、前端側の縁部は後グリップ１４ｃのグリップ本体７２の外周にある。すなわち、ハンドル１４の周面が中心軸Ｃから離れる方向に変移する変移部７５が突部７４の前側（竿桿２２側）に形成され、この変移部７５に挿通孔７４ａが形成されている。挿通孔７４ａは、ハンドル１４の中心軸Ｃに直交する方向よりもハンドル１４の前側（前端側）に向けられて形成されている。すなわち、挿通孔７４ａに対してコード６０を挿脱する際にコード６０の軸方向（長手方向）をハンドル１４の中心軸Ｃに対して直交する状態よりも平行に近づけて中心軸Ｃに沿った方向にしている。したがって、コード６０を挿通孔７４ａに挿通したときの湾曲量を小さくしてコード６０に大きな負荷をかけることなく出し入れ（挿脱）可能であるとともに、コード６０が釣竿用ハンドル１４に引っ掛かることが極力防止された状態でスムーズにコード６０を挿通孔７４ａに対して出し入れすることができる。このため、電動リール３０の給電部３８から後方に延出されるコード６０を後グリップ１４ｃのグリップ本体７２の挿通孔７４ａに対して容易に挿脱することができる。
【００２７】
ここでは、上述したように、リール用コネクタ６２がバッテリ用コネクタ６４よりも小さく形成され、後述するように、バッテリケース７８をグリップ本体７２から取り外し可能に形成されている。このため、リール用コネクタ６２を突部７４の挿通孔７４ａおよび貫通孔７３を通して挿通部Ｓに通すとともにグリップ本体７２の後端の拡径部７６を通すことによって、コード６０をハンドル１４から取り外し可能である。又は、挿通部Ｓ、貫通孔７３および突部７４の挿通孔７４ａにバッテリ用コネクタ６４を通すことができるのであれば、バッテリ用コネクタ６４を貫通孔７３および突部７４の挿通孔７４ａを通して取り出してコード６０をハンドル１４から取り外すことができる。
【００２８】
突部７４の内周面の挿通孔７４ａの内側には、グリップ本体７２のコード６０の挿通部Ｓの内周面と滑らかに連続するようにグリップ本体７２の外側から内部（ハンドル１４の上面）に向かう傾斜面７４ｂが形成されている。突部７４の後方の面は、例えば湾曲状に形成され、例えば釣り人の手の指や掌などを掛けたり、あてがって握持するのに適している。  
そして、突部７４の挿通孔７４ａに連続する傾斜面７４ｂが突部７４の挿通孔７４ａを前方かつ下方を向かせるので、電動リール３０をハンドル１４の上側に配置した状態で釣り人がハンドル１４を支持する通常の使用状態では、挿通孔７４ａおよび貫通孔７３を通して水や飛沫等がハンドル１４内に入ることを極力防止することができる。  
バッテリ用コネクタ６４は、挿通孔７４ａを通して傾斜面７４ｂに誘導されて徐々にハンドル１４の中心軸Ｃに沿った方向に向きながら貫通孔７３を通して挿通部Ｓ内に差し込まれる。このため、コード６０がグリップ本体７２の後端の拡径部７６に向かって誘導される。また、この傾斜面７４ｂに対向する芯部材１４ｄの端部には、コード６０を挿脱する際のガイドとなる案内面７４ｃが形成されている。案内面７４ｃによって、コード６０のバッテリ用コネクタ６４を貫通孔７３および突部７４の挿通孔７４ａを通して抜き取る際に、バッテリ用コネクタ６４が貫通孔７３よりも前側に移動するのを規制し、確実に貫通孔７３および突部７４の挿通孔７４ａを通して抜き取ることができる。
【００２９】
そして、特に、突部７４の挿通孔７４ａを取付脚部載置面５２ａよりも後方（特に、電動リール３０の給電部３８よりも後方）に設けることにより、コード６０を挿通孔７４ａおよび貫通孔７３に容易に挿通させることができる。このため、コード６０に無理な力をかけることを防止できる。  
また、電動リール３０の取付脚部３０ａを取り付けた部分（取付脚部載置面５２ａ）よりも後方側かつハンドル１４の下面側に貫通孔７３および挿通孔７４ａを設けたので、図１に示すように、コード６０が電動リール３０からハンドル１４の下面側に回り込んで延びている。このため、電動リール３０のすぐ後方側でハンドル１４を握持しながら親指で電動リール３０のスプールに触れるサミング操作や電動リール３０のクラッチをＯＮ／ＯＦＦするクラッチ操作等の電動リール３０の操作を行う際に、コード６０が邪魔にならずにスムーズに行うことができる。  
挿通孔７４ａはハンドル１４の下面側に形成されているため、挿通孔７４ａからハンドル１４内に水が入り難く、しかも挿通孔７４ａが下方を向いているため、水の浸入がより防止される。
【００３０】
また、コード６０を釣竿用ハンドル１４に配設している場合にも、釣り人の手に当接するのは突部７４の挿通孔７４ａの後端の縁部であるから、コード６０に大きな力が加えられることを防止することができる。また、後グリップ１４ｃに形成された突部７４は、後グリップ１４ｃの指掛部として使用することができる。このため、突部７４の挿通孔７４ａにコード６０が挿通されても、後グリップ１４ｃの把持のし易さを極力維持することができる。
【００３１】
なお、ハンドル１４はその外面を周方向に均等に四分割して上面、左側面、右側面、下面とし、リール取付部１４ｂの取付面である取付脚部載置面５２ａは上記上面に形成され、取付面と異なる面は上面以外の左側面、右側面、下面とする。
【００３２】
挿通孔７４ａのうちハンドル１４の中心軸Ｃに最も近接する前側の縁部と中心軸Ｃに最も離隔する後側の縁部とを結ぶ線分を延長した線を傾斜軸Ｌとする。この挿通孔７４ａの傾斜軸Ｌは、例えば、突部７４が形成された位置よりもハンドル１４の前方でハンドル１４の中心軸Ｃと交差する。すなわち、図２中に示すように、挿通孔７４ａの傾斜軸Ｌは、突部７４が形成された位置よりも前グリップ１４ａ側でハンドル１４の中心軸Ｃに交差する。なお、挿通孔７４ａの傾斜軸Ｌとハンドル１４の中心軸Ｃとが交差する位置は、挿通孔７４ａが形成された位置よりも前グリップ１４ａ側の適宜の位置に設定可能である。その交差位置によって、挿通孔７４ａの形状が変化する。例えば、前グリップ１４ａに交差位置が近づくほど突部７４の傾斜面７４ｂが小さく形成される。このとき、挿通孔７４ａの形状は貫通孔７３の形状の長孔に近くなる。逆に、交差状態がハンドル１４の中心軸に直交する状態に近づくほど傾斜面７４ｂが大きく形成される。突部７４の形状は、挿通孔７４ａを挿通するコード６０、リール用コネクタ６２およびバッテリ用コネクタ６４の大きさによって適宜に変更可能である。
【００３３】
本実施形態では、突部７４の挿通孔７４ａには、図２に示すバッテリ用コネクタ６４を通すことが可能である。すなわち、ここでは、挿通孔７４ａの幅（バッテリ用コネクタ６４を通すことができる幅）を維持しつつ、挿通孔７４ａの長手方向の長さを変化させることができる。このため、バッテリ用コネクタ６４およびこのコネクタ６４に接続されたコード６０をハンドル１４の内部の挿通部Ｓに挿通させる際の傾斜角度を設定することができる。
【００３４】
図２および図３に示すように、グリップ本体７２の後端には、グリップ本体７２の内径よりも外径が大きいバッテリ４０を収容するためにやや拡径された拡径部７６が形成されている。この拡径部７６の後端には雄ネジ部７６ａが形成されている。この雄ネジ部７６ａには、バッテリ４０が収容されるバッテリケース７８の雌ネジ部７８ａが着脱可能に螺合される。そして、後グリップ１４ｃの拡径部７６およびバッテリケース７８は、バッテリ保持部を形成する。このため、釣竿１０のうち、釣り人が釣りの最中に直接的にバッテリ４０に触れない状態にバッテリ４０を配置することができ、バッテリ４０が邪魔にならない状態で釣りをすることができる。また、バッテリ４０を釣竿１０の後端に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。
【００３５】
なお、拡径部７６は、バッテリ４０の肩部４６と略同じ傾斜を有し、後端側ほど開口が大きく形成されている。一方、バッテリケース７８は、バッテリ４０をハンドル１４の中心軸Ｃに沿って先端側に向かって押圧する押圧パッド（押圧部）７８ｂが配設されている。このため、バッテリケース７８にバッテリ４０が配設された状態でバッテリケース７８の雌ネジ部７８ａが拡径部７６の雄ネジ部７６ａに螺合したときには、バッテリ４０のガタツキを防止するように、バッテリ４０の肩部４６が後グリップ１４ｃの拡径部７６の内周面（度当て面）７６ｂに度当てされる。
【００３６】
そして、電動リール３０の給電部３８とバッテリ４０の接続部４４とを接続するコード６０は、後グリップ１４ｃの突部７４の挿通孔７４ａを通して挿通部Ｓに挿通され後グリップ１４ｃの後端まで延出されている。
【００３７】
なお、この実施の形態では図２に示すように、電動リール３０の給電部３８が下方に向けて形成されている場合について説明したが、給電部３８は下方に向けて形成されている場合に限らず、様々な方向に向けて形成されている場合がある。このような電動リールであっても、同様にコード６０をハンドル１４に対して出し入れして用いることができる。そして、この実施の形態で説明したように、コード６０を出し入れするのはハンドル１４のリール取付部１４ｂの取付脚部載置面５２ａとは反対側に形成された挿通孔７４ａおよび貫通孔７３であるから、図１から図３に示す電動リール３０と異なる電動リールであってもリールの操作の際にコード６０が邪魔になるのを防止することができる。
【００３８】
また、図４（Ａ）に示すように、突部７４の挿通孔７４ａにはキャップ（栓体）８０が配設されることが好ましい。図４（Ｂ）に示すように、キャップ８０は、可撓性を有するゴム材や合成樹脂材等で略円柱状に形成されている。キャップ８０は、略円柱状の中心軸上に形成されコード６０が配設される取付孔８２と、このキャップ８０の外側と取付孔８２とを連通するように形成された切り欠き溝８４と、キャップ８０を突部７４の端部に引っ掛けるフランジ部８６とを備えている。図４（Ａ）に示すように、取付孔８２は、コード６０に密着する。切り欠き溝８４は、コード６０を取付孔８２に配設する際に弾性変形により開いてコード６０を取付孔８２に配置する。
【００３９】
このため、キャップ８０を突部７４の挿通孔７４ａに配設した場合、取付孔８２の径を小さくし、かつ、切り欠き溝８４を閉塞するように作用する。このため、電動リール３０をハンドル１４の上側に配置した状態で釣り人がハンドル１４を支持する通常の使用状態では、突部７４の挿通孔７４ａおよび貫通孔７３を通して水や飛沫、更にはゴミ等がハンドル１４内に入ることを防止することができる。
【００４０】
なお、キャップ８０を突部７４を延長するように突出させて指掛けをより大きく形成するようにしても良い。  
また、図５に示すように、ハンドル１４の後端でバッテリ４０を保持する際に、バッテリケース７８を用いない例も好ましい。
【００４１】
拡径部７６には、雄ネジ部７６ａが形成されていない。その代わりに、拡径部７６の後端の内周面には、例えばＯリング等のシール材７６ｃが配設されている。このシール材７６ｃは、弾性材料で形成され、シール材７６ｃの内径はバッテリ４０のボディ４２の外径よりもやや小さく形成されている。このため、バッテリ４０のボディ４２を拡径部７６の内側に配設するときには、シール材７６ｃを弾性変形させてバッテリ４０のボディ４２の外周面に密着させる。このようにして、バッテリ４０をハンドル１４の後グリップ１４ｃの後端に保持することができる。すなわち、後グリップ１４ｃの後端の拡径部７６およびシール材７６ｃは、バッテリ保持部を形成する。なお、シール材７６ｃの作用によって、バッテリ４０が拡径部７６の後端に配設された状態でハンドル１４内に水や飛沫、更にはゴミ等が侵入するのを防止できる。
【００４２】
次に、第２の実施の形態について図６を用いて説明する。この実施の形態は第１の実施の形態の変形例であって、第１の実施の形態で説明した部材と同一の部材には同一の符号を付し、詳しい説明を省略する。以下、第３の実施の形態から第８の実施の形態も同様である。
【００４３】
図６に示すように、ハンドル１４の後グリップ１４ｃのグリップ本体７２（ハンドル１４の下面のリール取付部１４ｂよりも後方）には、ハンドル１４の長手方向（中心軸Ｃ）に対して直交する方向に貫通し挿通部Ｓに連通する挿通孔９３が形成されている。この挿通孔９３には、後グリップ１４ｃのグリップ本体７２とは別部材でコード６０を挿通孔９３に案内するための筒状の突部９４が嵌合されている。この突部９４は、第１の実施の形態で説明した突部７４の変移部７５や傾斜面７４ｂ（図２及び図３参照）を別部材で形成し、変移部９５と傾斜面９４ｂとを有する。そして、第１の実施の形態で説明した芯部材１４ｄの案内面７４ｃと同じ作用を有するように、突部９４自体にコード６０を差し込む開口９４ａの中の突部９４内には傾斜面９４ｂに対向するように案内面９４ｃが形成されている。
【００４４】
なお、この実施形態の場合、芯部材１４ｄの基端は、第１の実施の形態と同様に案内面７４ｃが形成されていることも好適であるし、図６に示すように、中心軸Ｃに対して直交する端面が形成されていることも好適である。
【００４５】
また、傾斜軸Ｌの傾斜角度も適宜に変更可能であり、この傾斜角度により開口９４ａの形状を変更することができる。
【００４６】
次に、第３の実施の形態について図７および図８を用いて説明する。この実施の形態は第１および第２の実施の形態の変形例である。
【００４７】
図７および図８に示すように、ハンドル１４の後グリップ１４ｃのグリップ本体７２（リール取付部１４ｂよりも後方）には、ハンドル１４の長手方向（中心軸Ｃ）に対して直交する方向に貫通し挿通部Ｓに連通する挿通孔１０３がハンドル１４の下面に形成されている。挿通孔１０３は、第２の実施の形態で説明した挿通孔９３と同様に形成されている。この挿通孔１０３には、後グリップ１４ｃのグリップ本体７２とは別部材の突部（カバー体）１０４が嵌合されている。突部１０４は挿通孔１０３に対して着脱可能であり、すなわち、突部１０４が交換可能である。突部１０４の基部は、例えば挿通孔１０３を押し広げるように付勢し、突部１０４を挿通孔１０３から取り外す際にはその付勢力に抗して変形させて取り外す。その他、突部１０４を挿通孔１０３に対して着脱する手段は種々のものが用いられる。
【００４８】
この突部１０４は、第１の実施の形態で説明した突部７４の変移部７５や傾斜面７４ｂ（図２及び図３参照）と同様に、変移部１０５と傾斜面１０４ｂとを有する。突部１０４の前側は、例えば釣り人の手の指の腹に沿うように湾曲状の凹状部１０４ｄに形成されている。すなわち、凹状部１０４ｄは、略トリガー形状に形成されている。このため、ハンドル１４を握持するのに凹状部１０４ｄに指をかけて用いることができる。  
なお、この実施形態の場合、芯部材１４ｄの基端は、第１の実施の形態で説明した芯部材１４ｄの案内面７４ｃと同じ作用を有するように、案内面１０４ｃが形成されていることも好適であるし、図示しないが中心軸Ｃに対して直交する端面が形成されていることも好適である。ここでは、案内面１０４ｃが形成されている。
【００４９】
突部１０４は、例えばゴムや合成樹脂などのストレッチ素材で形成されている。この場合、突部１０４を釣竿１０のハンドル１４から分離した状態で、又は、突部１０４を挿通孔１０３から取り外すことなく、突部１０４の開口１０４ａよりも大きいリール用コネクタ６２やバッテリ用コネクタ６４を開口１０４ａに対して通すことができる。
【００５０】
開口１０４ａは、コード６０を出し入れ可能であるとともに、コード６０の外周面に略密着するように形成されている。このため、ハンドル１４の挿通部Ｓに雨水や海水等の液体が浸入したり、ゴミ等が侵入することが極力防止されている。又は、開口１０４ａが変形することなく少なくともリール用コネクタ６２（リール用コネクタ６２およびバッテリ用コネクタ６４のうち、小さい方のコネクタ）を通すことができるように形成されていることも好ましい。
【００５１】
なお、この実施の形態では、突部１０４を貫通孔１０３に着脱可能に嵌合する場合について説明したが、突部１０４は必ずしも嵌合した状態で使用しなければならないものではなく、後述する第６および第７の実施の形態（図１２から図１５参照）で説明するように、突部１０４を用いずに釣竿１０を使用することができる。
【００５２】
次に、第４の実施の形態について図９及び図１０を用いて説明する。この実施の形態は第１から第３の実施の形態の変形例である。
【００５３】
図９に示すように、この実施の形態は、第１の実施の形態で説明した突部７４ではなく、後グリップ１４ｃのグリップ本体７２（リール取付部１４ｂよりも後方）の下面にグリップ本体７２の外周よりも内側に凹んだ凹部１１４が形成されている。この凹部１１４には、長孔の挿通孔（貫通孔）１１４ａと傾斜面１１４ｂとが形成されている。凹部１１４の挿通孔１１４ａの長孔は、ハンドル１４の中心軸Ｃに近接する挿通孔１１４ａの前後方向の長さが挿通孔１１４ａの前後方向に交差する左右方向（ハンドル１４の中心軸Ｃに直交する方向）に対して長い。この挿通孔１１４ａの縁部のうち、ハンドル１４に対して前方側よりも後方側の方がハンドル１４の中心軸Ｃに対して離れた位置（外側）にある。挿通孔１１４ａは、その縁部が先端側から基端側に向かってハンドル１４の中心軸Ｃから離れるように変移している。そして、挿通孔１１４ａの縁部うち、ハンドル１４の後端側の縁部は後グリップ１４ｃの最外周にあるのに対し、前端側の縁部は後グリップ１４ｃの最外周よりも内側にある。すなわち、挿通孔１１４ａには、ハンドル１４の外側面が中心軸Ｃから外方へ離れる方向に変移する変移部１１５が形成され、この変移部１１５に挿通孔１１４ａが形成されている。
【００５４】
凹部１１４の挿通孔１１４ａの長孔の前側の縁部と後側の縁部とを結ぶ線分を延長した線を傾斜軸（長手方向軸）Ｌとする。挿通孔１１４ａの前側の縁部および後側の縁部以外の縁部は、傾斜軸Ｌよりも中心軸Ｃ側にある。すなわち、挿通孔１１４ａは、凹んだ形状に形成されている。この挿通孔１１４ａの長孔の傾斜軸Ｌは、例えば、凹部１１４が形成された位置よりもハンドル１４の前方でハンドル１４の中心軸Ｃと交差する。すなわち、図９中に示すように、挿通孔１１４ａの前後方向に沿った線（傾斜軸）Ｌは、凹部１１４が形成された位置よりも前グリップ１４ａ側でハンドル１４の中心軸Ｃに交差する。なお、挿通孔１１４ａの前後方向に沿った線Ｌとハンドル１４の中心軸Ｃとが交差する位置は、挿通孔１１４ａが形成された位置よりも前グリップ１４ａ側の適宜の位置に設定可能である。その交差位置によって、挿通孔１１４ａの長孔の形状が変化する。
【００５５】
図１０に示すように、挿通孔１１４ａは、ハンドル１４の前端側の幅が狭く、後端側の幅が前端側よりも広く形成されている。挿通孔１１４ａの後端は、円弧状に形成されている。
【００５６】
挿通孔１１４ａの大きさは、コード６０のリール用コネクタ６２及びバッテリ用コネクタ６４のいずれか一方または両方を通すことが可能な大きさに形成されている。このため、コード６０は後グリップ１４ｃに対して着脱（挿脱）可能である。本実施形態では、挿通孔１１４ａには、図９及び図１０に示すリール用コネクタ６２を通すことが可能である。すなわち、ここでは、挿通孔１１４ａの幅（リール用コネクタ６２を通すことができる幅）を維持しつつ、挿通孔１１４ａの前後方向の長さを変化させることができる。このため、リール用コネクタ６２およびこのコネクタ６２に接続されたコード６０をハンドル１４の内部の挿通部Ｓに挿通させる際の傾斜角度を設定することができる。
【００５７】
傾斜面１１４ｂは、コード６０に大きな力が加えられることを防止した状態でグリップ本体７２の内部の挿通部Ｓに案内するのに用いられる。
【００５８】
このような挿通孔１１４ａを形成することにより、ハンドル１４の中心軸Ｃ（長手方向）に対して直交する方向の挿通孔よりもハンドル１４の長手方向に平行な状態に近接するように挿通孔を形成できる。このため、コード６０を挿脱する際に屈曲等させずにスムーズに挿脱させることができる。また、第１の実施の形態で説明した突部７４（図２及び図３参照）のような出っ張りがないので、ハンドル１４を小さく保つことができる。
【００５９】
次に、第５の実施の形態について図１１を用いて説明する。この実施の形態は第１の実施の形態の変形例である。本実施形態は、後グリップ１４ｃではなく、リール取付部１４ｂに挿通孔１２４ａおよび突部１２４が設けられた例である。
【００６０】
図１１に示すように、リールシート５２は、後グリップ１４ｃのグリップ本体７２の内部にコード６０を挿通させる中空状の挿通部Ｓに連通する挿通部Ｓ１を備えている。リールシート５２には、挿通部Ｓ１に連通する上述した貫通孔１２３が形成されている。  
リール取付部１４ｂのうち固定フード５４ａの反対側（下面側）のリール取付部１４ｂの後端には、変移部１２５に挿通孔１２４ａを有する突部１２４が例えば一体的に形成されている。突部１２４が形成された部分の後端は、後グリップ１４ｃの内径よりも小さい外径を有する嵌合部１２６が形成されている。このため、リール取付部１４ｂの嵌合部１２６で後グリップ１４ｂの先端に嵌合されている。
【００６１】
突部１２４の内周面には、傾斜面１２４ｂが形成されている。このため、バッテリ用コネクタ６４を突部１２４の挿通孔１２４ａ、傾斜面１２４ｂ及び貫通孔１２３を通してリール取付部１４ｂ及び後グリップ１４ｃの内側に出し入れする際に容易に行うことができる。
【００６２】
なお、本実施形態では、突部１２４を設けた例について説明したが、第４の実施の形態で説明した凹部１１４（図９参照）を設けることも好適である。また、この実施形態では、芯部材１４ｄの後端をハンドル１４の中心軸Ｃに対して直交する面として形成する場合について図示したが、第１の実施の形態で説明した案内面７４ｃ（図２及び図３参照）と同様に形成されていることも好適である。
【００６３】
次に、第６の実施の形態について図１２及び図１３を用いて説明する。この実施の形態は第２および第３の実施の形態の変形例である。  
図１２に示すように、リール取付部１４ｂのリールシート５２の内部に配設される符号１４ｅで示す芯部材は筒状に形成されている。この芯部材１４ｅは、第１から第５の実施の形態で説明した中実の芯部材１４ｄとは異なり、前グリップ１４ａからリール取付部１４ｂのリールシート５２の前端まで配設されている。
【００６４】
リール取付部１４ｂのリールシート５２の後端には、後グリップ１４ｃの内径よりも小さい外径を有する嵌合部１３６が形成されている。このため、リール取付部１４ｂの嵌合部１３６で後グリップ１４ｃの先端に嵌合されている。
【００６５】
図１２および図１３に示すように、リールシート５２には、長孔の挿通孔（貫通孔）１３３が形成されている。この挿通孔１３３は、取付脚部載置面５２ａの下面に形成されている。図１２に示すように、リールシート５２は、後グリップ１４ｃのグリップ本体７２の内部にコード６０を挿通させる中空状の挿通部Ｓに連通する挿通部Ｓ１を備えている。この挿通部Ｓ１は、上述した挿通孔１３３に連通している。
【００６６】
この挿通孔１３３は、ハンドル１４の長手方向の中心軸（ハンドル１４の軸線）Ｃと略同方向（平行又は略平行）に長手方向を有する長孔に形成されている。すなわち、挿通孔１３３の長孔は、ハンドル１４の中心軸Ｃに略平行な挿通孔１３３の前後方向の長さが挿通孔１３３の前後方向に交差する左右方向（ハンドル１４の中心軸Ｃに直交する方向）に対して長い。図１３に示すように、この挿通孔１３３の長孔は、後グリップ１４ｃ側の幅が前グリップ１４ａ側の幅よりも小さく形成されている。挿通孔１３３の長孔は、この実施形態では、前端に大径の半円を有し、後端に前端よりも小径の半円を有し、それら半円同士を接線で接続した形状に形成されている。このため、挿通孔１３３の幅は、後端側から前端側に向かって広げられている。すなわち、ハンドル１４の中心軸Ｃに直交する方向の開口幅は、後端の半円の直径から前端の半円の直径に至るまで線形的に増加するように形成されている。
【００６７】
そして、本実施形態に係るリール用コネクタ６２は、コード６０よりも大きく形成されている。このため、例えばコード６０をハンドル１４の後グリップ１４ｃのグリップ本体７２の後端の拡径部７６（図３参照）の後端側から抜き取る際に、リール用コネクタ６２を上述したように前端側が後端側に比べて大きい形状を有する挿通孔１３３を通して容易に挿通部Ｓ１内に入れることができる。また、リール用コネクタ６２を後グリップ１４ｃのグリップ本体７２の後端の拡径部７６の後端側から前グリップ１４ａ側に導入していく際に、挿通孔１３３の挿通部Ｓ１から容易にリール用コネクタ６２を取り出すことができる。このため、コード６０とリール用コネクタ６２との連結部に大きな力が加えられることが防止される。
【００６８】
なお、挿通孔１３３は、第２の実施の形態の挿通孔９３や第３の実施の形態の挿通孔１０３と同様に形成されていることも好ましい。
【００６９】
次に、第７の実施の形態について図１４及び図１５を用いて説明する。この実施の形態は第６の実施の形態の変形例である。  
図１４に示すように、リール取付部１４ｂのリールシート５２の内部に配設される符号１４ｆで示す芯部材は筒状に形成されている。この芯部材１４ｆは、第１から第５の実施の形態で説明した芯部材１４ｄと同様に、前グリップ１４ａから後グリップ１４ｃの前端まで配設されている。
【００７０】
リールシート５２および芯部材１４ｆには、ハンドル１４の下面で、取付脚部載置面５２ａよりも前端側に符号１４３で示す挿通孔（貫通孔）が形成されている。すなわち、リールシート５２には符号１４３ａで示す挿通孔（貫通孔）が形成され、芯部材１４ｆには符号１４３ｂで示す挿通孔（貫通孔）が形成されている。これら挿通孔１４３ａ，１４３ｂ（以下、符号１４３で示す）は、同一の軸上にある。この挿通孔１４３は、第５および第６の実施の形態とは異なり、ネジ部５２ｂの前側であって、前グリップ１４ａの後側に形成されている。このため、図１４に示すように、リールシート５２は、後グリップ１４ｃのグリップ本体７２の内部にコード６０を挿通させる中空状の挿通部Ｓに連通する挿通部Ｓ２を備えている。
【００７１】
図１５に示すように、この挿通孔１４３は、長孔として形成されている。この挿通孔１４３の長孔は、第６の実施の形態で説明した挿通孔１３３と例えば同形状に形成されている。この挿通孔１４３の長孔は、例えば、リール用コネクタ６２を挿脱可能であるとともに、バッテリ用コネクタ６４を挿脱可能である。しかしながら、図１４に示す筒状の芯部材１４ｆには、リール用コネクタ６２を通すことができるが、バッテリ用コネクタ６４を通すことができない。このため、挿通孔１４３には、リール用コネクタ６２を挿脱することにより、ハンドル１４に対してコード６０を着脱可能である。
【００７２】
なお、図１４中、芯部材１４ｄはバッテリ用コネクタ６４を挿脱できない大きさに描かれているが、リールシート５２の内径が大きく形成され、かつ、芯部材１４ｄの内径が大きく形成されることにより、挿通孔１４３に対してリール用コネクタ６２又はバッテリ用コネクタ６４を挿脱することにより、ハンドル１４に対してコード６０を着脱可能である。
【００７３】
また、コード６０を挿通部Ｓ２に挿通させる場合、給電部３８に接続されたリール用コネクタ６２と、バッテリ４０の接続部４４（図３参照）に接続されたバッテリ用コネクタ６４との間のコード６０は、ループを形成した状態でリールシート５２のネジ部５２ｂの前側の挿通孔１４３から挿通部Ｓ２に配設することができる。
【００７４】
また、このように、電動リール３０の取付脚部３０ａを取り付けた位置よりもハンドル１４の前方側（前グリップ１４ａに近接する側）かつ下面側に挿通孔１４３を設けることで、ハンドル１４のうち取付脚部３０ａのすぐ後方側を握持しながら電動リール３０の操作を行う場合に、握持した手の近傍に全くコード６０が配されなくなるため、電動リール３０の操作をよりスムーズに行うことができる。また、電動リール３０の給電部３８からリール用コネクタ６２を通して延出されたコード６０がハンドル１４の下面側に回り込んでハンドル１４内に挿通されるため、電動リール３０の前方に繰り出された釣糸との接触を防止できる。
【００７５】
次に、第８の実施の形態について図１６及び図１７を用いて説明する。この実施の形態は第１の実施の形態の変形例である。
【００７６】
この実施の形態は、図１６及び図１７に示すように、挿通孔１５４ａ、傾斜面１５４ｂを有する突部１５４がハンドル１４の上面の取付脚部載置面５２ａの反対側ではなく、取付脚部載置面５２ａに対して１／４周ずれたハンドル１４の側面（左側面）の位置に形成された例である。すなわち、グリップ本体７２の先端側には、リール取付部１４ｂの取付脚部載置面５２ａが形成された側に対して１／４周ずれた位置であって、取付脚部載置面５２ａよりも後方に、貫通孔１５３が形成されている。この貫通孔１５３は、グリップ本体７２の内部に形成されたコード６０の挿通部Ｓに連通されている。なお、芯部材１４ｄの端部の案内面１５４ｃは、傾斜面１５４ｂに対向する。さらに、突部１５４には変移部１５５が形成されている。したがって、突部１５４の構造は第１の実施の形態で説明した突部７４（図２及び図３参照）と同様である。このため、この実施の形態に係るハンドル１４は、第１の実施の形態で説明した作用及び効果と同様の作用及び効果が得られる。
【００７７】
そして、電動リール３０の取付脚部３０ａを取り付けた部分よりも後方側かつ側面側に突部１５４の挿通孔１５４ａを設けたので、図１６に示すように、コード６０が電動リール３０からハンドル１４の側面側に回り込んで延びている。このため、電動リール３０のすぐ後方側でハンドル１４を握持しながら親指で電動リール３０のスプールに触れるサミング操作や電動リール３０のクラッチをＯＮ／ＯＦＦするクラッチ操作等の電動リール３０の操作を行う際に、コード６０が邪魔にならずにスムーズに行うことができる。  
なお、突部１５４の位置は、第１の実施の形態および第５の実施の形態で説明した位置に対して１／４周ずらした位置に限られない。すなわち、ハンドル１４をその外面を周方向に均等に四分割してできる上面、左側面、右側面、下面のうち、上面以外であれば、第５の実施の形態で説明した位置よりも上側（電動リール３０が配設される側）や下側（第１の実施の形態で説明した突部７４に近接した位置）にあることも許容されるが、下側である方が雨や飛沫、ゴミの侵入を防止することができるので好ましい。
【００７８】
また、突部１５４の代わりに第４の実施の形態で説明した凹部１１４（図９および図１０参照）を設けることも好適であるし、第５から第７の実施の形態で説明したようにリール取付部１４ｂに突部１２４や挿通孔１３３，１４３（図１１から図１５参照）を設けることも好適である。
【００７９】
これまで、いくつかの実施の形態について図面を参照しながら具体的に説明したが、この発明は、上述した実施の形態に限定されるものではなく、その要旨を逸脱しない範囲で行なわれるすべての実施を含む。
【図面の簡単な説明】
【００８０】
【図１】第１の実施の形態に係る釣竿を示す概略図。
【図２】第１の実施の形態に係る釣竿のハンドルの後端にバッテリを装着した状態を示す概略的な縦断面図。
【図３】第１の実施の形態に係る釣竿のハンドルの後端からバッテリを取り外した状態を示す概略的な縦断面図。
【図４】（Ａ）は第１の実施の形態に係る釣竿のハンドルの突部の開口にキャップを装着した状態を示す概略的な縦断面図、（Ｂ）はキャップを示す概略的な斜視図。
【図５】第１の実施の形態に係る釣竿のハンドルの後端に図２および図３に示すバッテリを異なる方式で装着した状態を示す概略図。
【図６】第２の実施の形態に係る釣竿のハンドルの後端にバッテリを装着した状態を示す概略的な縦断面図。
【図７】第３の実施の形態に係る釣竿のハンドルの後端にバッテリを装着した状態を示す概略的な縦断面図。
【図８】第３の実施の形態に係る釣竿のハンドルの後端にバッテリを装着した状態を示す概略図。
【図９】第４の実施の形態に係る釣竿のハンドルの後端にバッテリを装着した状態を示す概略的な縦断面図。
【図１０】第４の実施の形態に係る釣竿のハンドルの後端にバッテリを装着した状態を示す概略図。
【図１１】第５の実施の形態に係る釣竿のハンドルの後端にバッテリを装着した状態を示す概略的な縦断面図。
【図１２】第６の実施の形態に係る釣竿のハンドルの後端にバッテリを装着した状態を示す概略的な縦断面図。
【図１３】第６の実施の形態に係る釣竿のハンドルの後端にバッテリを装着した状態を示す概略図。
【図１４】第７の実施の形態に係る釣竿のハンドルの後端にバッテリを装着した状態を示す概略的な縦断面図。
【図１５】第７の実施の形態に係る釣竿のハンドルの後端にバッテリを装着した状態を示す概略図。
【図１６】第８の実施の形態に係る釣竿を示す概略図。
【図１７】第８の実施の形態に係る釣竿のハンドルの後端にバッテリを装着した状態を示す概略的な縦断面図。
【符号の説明】
【００８１】
１２…竿桿、１４…ハンドル、１３ａ…嵌合突起、１３ｂ…嵌合孔、１４ａ…前グリップ、１４ｂ…リール取付部、１４ｃ…後グリップ、１４ｄ…芯部材、３０…電動リール、３０ａ…取付脚部、３２…リール本体、３２ａ…制御部、３４…側板、３６…調節ネジ、３８…給電部、４０…バッテリ、４２…ボディ、４６…肩部、５２…リールシート、５２ａ…取付脚部載置面、５２ｂ…ネジ部、５４ａ…固定フード、５４ｂ…移動フード、５６…ナット、６０…コード、６２…リール用コネクタ、６４…バッテリ用コネクタ、７２…グリップ本体、７３…貫通孔（連通孔）、７４…突部、７４ａ…挿通孔、７４ｂ…傾斜面、７４ｃ…案内面、７６…拡径部、７８…バッテリケース、７８ｂ…押圧パッド。
【図１】
2010029128.tif 000003
【図２】
2010029128.tif 000004
【図３】
2010029128.tif 000005
【図４】
2010029128.tif 000006
【図５】
2010029128.tif 000007
【図６】
2010029128.tif 000008
【図７】
2010029128.tif 000009
【図８】
2010029128.tif 000010
【図９】
2010029128.tif 000011
【図１０】
2010029128.tif 000012
【図１１】
2010029128.tif 000013
【図１２】
2010029128.tif 000014
【図１３】
2010029128.tif 000015
【図１４】
2010029128.tif 000016
【図１５】
2010029128.tif 000017
【図１６】
2010029128.tif 000018
【図１７】
2010029128.tif 000019